(57)【特許請求の範囲】
【請求項１】
被写体を撮像する撮像手段と、前記撮像手段の出力を画像処理する画像処理手段と、前記画像処理手段によって処理された画像データを表示する表示手段と、
を有する電子カメラにおいて、
前記表示手段上に、互いに離間して平行に配置された複数の押圧状態を検出するラインを設け、ペンによるタッチ入力時は前記ラインのいずれか１つのラインのみが押圧され、
指によるタッチ入力の場合は前記ラインの複数のラインが同時に押圧されるべく前記ラインの離間間隔が設定されることによりペンによる入力と指による入力を判別可能としたタッチパネルを配置し、
複数の前記ラインが同時に押圧された場合に、前記画像処理手段が前記タッチパネルの押圧された箇所に対応した箇所の色情報を退色または白色化させる処理を行う第１のモードとする一方、前記ラインのうちの１つのラインのみが押圧された場合は押圧位置を細い線にて表示する第２のモードとして処理を行い、
前記画像処理の後に当該画像データを送信する送信手段を有し、
前記タッチパネルからの指示操作によって前記画像処理がなされた当該画像を前記送信手段に導くように制御する制御手段を有する
ことを特徴とする電子カメラ。
【発明の詳細な説明】
【技術分野】
【０００１】
本発明は、被写体像を撮像しその撮像結果を表示可能な「デジタルカメラ」と称する電子カメラの改良に関する。
【背景技術】
【０００２】
現在、多くのデジタルカメラには、撮影した画像をその場で目視確認できるような液晶モニタが取り付けられており、写真としての画像をすぐにチェックしたり、その撮影現場に居る人たちにもその画像を見せて楽しめるように工夫されて、従来からのフィルム式のカメラとは異なる魅力を生み出している。
【０００３】
また、この液晶モニタ上に種々の文字を表示することによって、モードの切り替えや、警告表示を行なうことも知られている。
【０００４】
近年では、押圧接触による入力操作に供する為に、表示部材としての液晶上に
透明な「タッチパネル」と称する透明板材を付設し、この液晶に表示された文字
上のパネル面を押すことによって、種々の設定動作ができるような機器が実現さ
れている。
【０００５】
また、いわゆる「電子掲示板」のような応用技術（特許文献１）が知られており、この特許文献１によればこれは、タッチパネルを指で操作(接触押圧操作)すると、その部分の画像が消去できるという技術である。
【０００６】
このような技術は、画像修正技術の１つであると云える。
【０００７】
尚、タッチパネルに関する技術を応用したその他のものとして、例えば特許文献２に教示された技術は、やはり液晶表示面の上にタッチパネルを設置するものではあるが、これは画像修正の技術ではない。
【特許文献１】特開平１０−３９８４４号公報
【特許文献２】特開平８−６２５８９号公報
【発明の開示】
【発明が解決しようとする課題】
【０００８】
近年の多くの電子カメラは、パーソナルコンピュータ(パソコン)へ画像データを転送できる機能が組み込まれていて、パソコン上でその転送された画像を電子画像として利用できる。動画などを所望により停止したり、その画像の一部を使って電子メールに添付して楽しむ等のことは、電子画像の魅力として多くのユーザに採り上げられる。
【０００９】
しかしながら、従来のカメラであれば、画像処理前の写真画像をパソコンにて取り込み、専用のソフトを起動させて所定の操作を行ない、しかる後に、画像処理された画像を圧縮してセーブし、電子メール用のプログラムを起動させて送信するといった煩雑なプロセスが必要であった。
【００１０】
また現在、携帯電話自体にもカメラ機能が取り付けられるようになり、画像データがデジタルイメージで使用するユーザ層が増大するにつれ、パソコンを介さずに上述のような楽しみ方をする要求が益々高まっている。そして電子カメラもまた１つの携帯端末機器として種々に楽しめるものが切望されている。
【００１１】
そこで本発明の目的は、近年発達しつつあるタッチパネル技術を利用して、より簡単に画像修正などの画像処理ができる電子カメラを提供することにある。
【課題を解決するための手段】
【００１２】
上記の目的を達成するために、本発明の第１の態様による電子カメラは、被写体を撮像する撮像手段と、前記撮像手段の出力を画像処理する画像処理手段と、前記画像処理手段によって処理された画像データを表示する表示手段と、を有する電子カメラにおいて、前記表示手段上に、互いに離間して平行に配置された複数の押圧状態を検出するラインを設け、ペンによるタッチ入力時は前記ラインのいずれか１つのラインのみが押圧され、指によるタッチ入力の場合は前記ラインの複数のラインが同時に押圧されるべく前記ラインの離間間隔が設定されることによりペンによる入力と指による入力を判別可能としたタッチパネルを配置し、複数の前記ラインが同時に押圧された場合に、前記画像処理手段が前記タッチパネルの押圧された箇所に対応した箇所の色情報を退色または白色化させる処理を行う第１のモードとする一方、前記ラインのうちの１つのラインのみが押圧された場合は押圧位置を細い線にて表示する第２のモードとして処理を行い、前記画像処理の後に当該画像データを送信する送信手段を有し、前記タッチパネルからの指示操作によって前記画像処理がなされた当該画像を前記送信手段に導くように制御する制御手段を有することを特徴とする。
【発明の効果】
【００１３】
本発明によれば、近年発達しつつあるタッチパネル技術を適宜に利用して、パソコン等を利用せず、最も使用頻度の多い背景のぼかしや、グラデーション効果、あるいは先端の細いペンによる文字やイラストの書き込みを簡単に写真上に付加できる便利な電子カメラが実現できる。
【００１４】
つまり、従来よりも簡単に画像修正などの画像処理ができる電子カメラを提供することが可能となる。
【発明を実施するための最良の形態】
【００１５】
本発明としてここに例示するカメラは、表示部にタッチパネルが付いた電子カメラである。以下、一実施形態を挙げて図１〜図１０を参照しこの電子カメラについて詳しく説明する。
【００１６】
図１に、本実施形態としての電子カメラを成す電気回路の構成について示す。電子カメラ２０は、前方の被写体１１を前面に設けられた撮影レンズ２を介して撮像する撮像手段としての撮像素子３と、この撮像素子３の出力を画像処理する画像処理手段としての画像処理部４と、この画像処理部４によって処理された画像データを表示する表示手段としての表示部７とを基本要素に有する電子カメラである。
【００１７】
また、例えばＬＣＤ等から成る表示部７上には、図示しないユーザが接触(押圧)操作入力可能な周知のタッチパネル８を配置しており、このタッチパネル８からの出力に応じて、制御手段としてのＣＰＵ１の統括的制御に従って、上記画像処理部４が、その操作入力された当該画像処理内容の変更を行なうように構成されている。
【００１８】
さらにこの電子カメラ２０には、撮像画像やその他電子情報を記録しておく記録部５と、処理された画像データの送信手段としての送信回路６と、タッチパネル８の出力を基にして押圧操作を判別する検出回路９とが設けられ、そのほかに、閃光発光手段としてのストロボ装置１０が補助光源として取り付けられている。なお、画像処理回路４は、撮像素子３から出力される像信号を圧縮処理して記録部５に記録しやすいように設けられた回路であると共に、表示部７に表示させる回路である。
【００１９】
これら画像入力、各種処理、送信用の回路の動きを司るＣＰＵ１は、ワンチップマイコン等から成るＣＰＵが採用されている。ＣＰＵ１は、ユーザの操作をスイッチ１ａ，１ｂ等の状態によって判別するか、或いはまた、タッチパネル８の出力をその検出回路９を使って判別して、撮影動作や画像の処理時においては、後述するカメラシーケンス等を集中制御するようにプログラムされている。
【００２０】
上述の如く基本構成された電子カメラ２０を用い、撮影レンズ２によって被写体１１の像を撮像素子３上に結像させると、撮像結果の画像データは画像処理回路４によって圧縮され、その画像データは所望により送信回路６によって電子カメラ２０外部に出力できるようになっている。即ちこの送信回路６は、例えばＵＳＢ等の専用ケーブルを利用したり、電波や赤外線による無線通信によって図示しない他の外部機器（携帯電話、プリンタなど）にその画像データを送れるように設定されている。
【００２１】
図２（ａ）,（ｂ）には、電子カメラ２０の表示部７に表示される撮像画像と、主要被写体像のみの画像とを比較して示し、図３には、電子カメラ２０からの画像データが外部機器としての携帯電話２１やプリンタ２２に送信され利用される形態を模式的に表わしている。  
本発明が適用される電子カメラ２０の画像処理部４は、そのタッチパネル８の押圧ポイント重心から所定範囲の色情報を退色または白色化させることでぼかす機能を有する。
【００２２】
つまりこの電子カメラ２０は、表示された画像イメージ中の不要部分がユーザによって擦られる操作を、そのタッチパネル８を介して判定し、その画像の不要部分（例えば背景部分など）をぼかすなどして修正処理することで、主要被写体像がすっきりと見える画像を得ることのできる電子カメラである。このように修正処理を施した画像は、種々の用途に利用可能であり、例示した携帯電話２１などへの送信時に利用すると解りやすく有効となる。
【００２３】
ユーザが写真を利用する場合、図２（ａ）のような雑然とした背景の写真より、図２（ｂ）のような主要な被写体１１だけの、背景の無いすっきりとした写真の方が好ましい。よって、電子カメラ２０から携帯電話２１やプリンタ２２を介して得られるポストカード２３等に添付する写真を、例えば図２（ａ）の画像を元に、図２（ｂ）に示すような修正画像にするため、上述のタッチパネル８を介して、ユーザが修正操作処理することができるようになっている（詳細後述）。
【００２４】
また、送信回路６によれば、図３が示す利用形態の如くに、画像データを、電子カメラ２０からこれら外部機器（携帯電話２１又はプリンタ２２）に対して画像を送信することができ、ポストカードや年賀ハガキ２３等にその画像イメージを印刷して添付することができる。
【００２５】
図４（ａ）〜（ｃ）には電子カメラ２０の使用例を示している。図４（ａ）はユーザ５０が電子カメラ２０で写真撮影するところを示し、図４（ｂ）は表示部７に表示された画像を観ながら修正操作しているところを示し、図４（ｃ）はその修正写真を電子メールで送信しているところを示している。
【００２６】
図４（ｂ）に示す如く電子カメラ２０の表示部７上をユーザの指先５０ａでなぞると、表示画像のその位置の画像部分がぼかされ、図２（ｂ）の如くに主要被写体１１のみをはっきりさせることができる画像処理機能が付加されている。
【００２７】
また、図４（ｃ）のようにアンテナが突出可能に内蔵された送信機能付きの電子カメラ２０ａであれば、修正した画像をそのまま電子メール等で所望のアドレスへ送信することもできる。
【００２８】
ここからは具体的に、上述のタッチパネル８及び、これに関連する回路の詳細について説明する。
【００２９】
図５（ａ）〜（ｃ）はタッチパネル８と表示部７等の詳細を示している。
【００３０】
図５（ａ）にはこのタッチパネル８の下に設けられる表示部７の積層構造を示し、図５（ｂ）には所定方式のタッチパネルの原理を示す。図５（ｃ）にはタッチパネル８の電気的回路構成を示す。
【００３１】
タッチパネル８は、図５（ａ）のように平板な液晶表示パネル(ＬＣＤ)７ａ上に枠体状のスペーサ３２を介して重ねて設置されている。ＬＣＤ７ａの背面の片端近傍にはバックライト光源３１が設けられ、ＬＣＤ７ａの背後から導光板３０で照明されるように構成されている。  
タッチパネル８は、文字通りユーザの指などによる接触押圧操作を検出するためのパネル状のスイッチ部材であり、「光学式」「静電容量式」或いは「抵抗膜式」等が知られている。ここでは「抵抗膜式」を採用している。
【００３２】
図５（ｂ）に示す如くタッチパネルの原理によれば、このタッチパネル８は、一方向に電気的な抵抗をもつ上部抵抗膜４０と、それとは抵抗方向が垂直方向である下部抵抗膜４１とが重ねられて構成されている。これら上部抵抗膜４０の一端と下部抵抗膜４１の一端との間にはスイッチ４２が存在する。また、Ａ／Ｄ変換手段としてのＡ／Ｄコンバータ４５をその一部として含むＣＰＵ１が、上部抵抗膜４０の他端と下部抵抗膜４１の他端とにそれぞれ並列するスイッチ４３,４４が存在する。よって、スイッチ４２〜４４を適宜に制御することにより、そのタッチパネル８の平面内の押された位置（押圧位置）を二次元座標式に検出することができるようになっている。
【００３３】
詳しくは、図５（ｃ）の回路図のようにスイッチ４２とスイッチ４４を上部抵抗膜４０の電極に接続すると、上部抵抗膜４０は図示しない電源とグランド間を分圧する抵抗として機能するので、押圧された部分は、下部抵抗膜４１に接触し、その接触部位の電圧が下部抵抗膜４１の電極のスイッチ４３を介して検出できる。
【００３４】
Ａ／Ｄコンバータ４５によってこの電圧を検出する。その電圧は、タッチパネル８の押圧位置によって変化する。上部抵抗膜４０の抵抗方向（即ち電極と電極を結ぶ方向）の位置はこのようにして求められる。また同様に、当該スイッチを逆方向にＯＮさせると、下部抵抗膜４１の抵抗方向は上部抵抗膜４０の抵抗方向と直交しているので、その方向の座標も検出できる。
【００３５】
上述の如くにタッチパネル８の押圧位置が二次元的に検出できると、ユーザが表示部７の画面上のどのポイント（部位：重点）を押しているかが判定できる。
【００３６】
このような構成および機能をもつ電子カメラ２０によって被写体を写真撮影し、その後、この電子カメラ２０の表示部７のタッチパネル８上をなぞると、そのなぞった軌跡をＣＰＵ１が認識することができる（詳細後述）。
【００３７】
なお、もし送信機能が付加された電子カメラ２０ａならば、修正した写真をそのまま電子メールにて送信してもよい（参照、図４（ａ）〜（ｃ））。
【００３８】
上述したようなタッチパネル８の押圧位置の検出とその軌跡の認識のほかに、本実施形態の電子カメラ２０は次のようなことも判別する。
【００３９】
ユーザは指のほか、図６に示すペン２６等で表示部７のタッチパネル面をなぞることで、文字等を入力できるようになっている。例えば図示の如くに先の細いペン２６で表示部７の所望のタッチパネル面をなぞれば、その時、ペン２６の先端で押される押圧点（重点）の範囲（大きさ）に基づいて、今何で押されているかが検出部９を介してＣＰＵ１により判別できるようになっている。
【００４０】
この機能については、図７（ａ）〜（ｃ）にタッチパネル表面をなぞる形態として「修正モード」時のタッチパネル押圧形態を複数示して、その時の判別処理機能について説明すると、図７（ａ）に示す場合は、指などで押された重心(中心位置)より所定範囲で表示の為の色信号を平均化して処理する。これは比較的広い範囲であり、指などによる押下時に適合する。これに対して狭い範囲の場合では、図７（ｂ）に示す如く重心の所定範囲を狭く限定する。これはペン先などによる押下時に適合する。また図７（ｃ）に示す場合は、上述の狭い小さな範囲の重心が連続されて線状に認識できる場合であり、これはペン２６などによる文字入力に適合する。
【００４１】
スイッチ１ａ，１ｂ(図１参照)又は専用の操作ボタンの切替操作によって「修正モード」と、タッチパネル８を押圧する修正手段が指かペンかの別を手動操作でＣＰＵ１に認識させてもよい、しかし、次のようにタッチパネル８の構成と配線を変形実施することで、そのタッチパネル８を押圧するものの種類が簡単に自動判別できるようにする。
【００４２】
すなわち、このタッチパネル８の上部抵抗膜４０を、図８に例示のように抵抗方向に分割し、３つの細線(ライン)４０ａ,４０ｂ,４０ｃを並べる形態に構成すれば、図示のように抵抗方向（ｘ方向）の位置がライン４０ａ,４０ｂ,４０ｃごとに求められるので、押圧点の細さが自動的に検出できるようになる。
【００４３】
次に、図９及び図１０に基づき、本実施形態の電子カメラ２０における制御について説明する。
【００４４】
図９のフローチャートには、電子カメラ２０のＣＰＵ１における制御手順（カメラシーケンスのメインルーチン）を表わしている。  
ステップＳ１，Ｓ１０，Ｓ２０はモード判定の為のステップ群であり、それぞれ、ユーザが選択し得るモードのうち「撮影モード」（Ｓ１）か「表示モード」（Ｓ１０）か「送信モード」（Ｓ２０）かのいずれを選択しているかを判定する。
【００４５】
スイッチ１ａ，１ｂ(図１参照)を介した手動切替操作によってもし「撮影モード」が選択指示された場合は、次のような一連の撮影シーケンスが制御される。すなわち、レリーズ動作に伴い、測距手段(不図示)によってピント合せを行ない（Ｓ２）、続いて露光制御手段(不図示)によって露出を行ない（Ｓ３）、その後、圧縮記録を行なう（Ｓ４）。また、撮影状況に応じて、ストロボ装置１０を発光駆動させて露出を適宜に補う。
【００４６】
撮影後は、ステップＳ５にて所定時間だけ表示部(モニタ)６上に画面表示を行ない（Ｓ５,Ｓ６）、ユーザである撮影者が、撮影した画像をチェックできるようになっている。その後は、「省エネ」の為に画面を消灯する（Ｓ７）。そして上記ステップＳ１へ戻る。
【００４７】
上記ステップＳ１０において、「表示モード」操作設定時には、更にその表示画像を修正する為の「修正モード」か否かを、次ステップＳ１１にて所定のモード判定方法で判定する（Ｓ１１）。もし修正モードでなければ、上記ステップＳ５へ移行するが、修正モード時には、その画像をモニタに表示し（Ｓ１２）、後述するサブルーチン「タッチパネルの押圧部判定」をコールして、タッチパネル８の押圧部位を判定する（Ｓ１３）。その後、押圧部重心位置より、所定の範囲(図７（ａ）参照)に関して色信号を平均化し（Ｓ１４）、押圧感知された時に、同じポイントが長時間押されている場合には、さらに白色化の処理を行ない（Ｓ１５，Ｓ１６）、例えばパスポートや免許証の写真のように背景を白く消してしまうような事もできるようにする。
【００４８】
勿論この時に、白色化だけでなく青や黄色など所定の色に修正しまうという設定も、スイッチ操作によって選択可能なように変形実施してもかまわない。
【００４９】
当該画像の処理が終了したか否かを判定し（Ｓ１７）、もしまだならば後述するステップＳ３０へ進むが、画像処理終了時には処理終了の所定操作を、例えば、電子カメラ２０の操作ボタン２５(図４（ｂ）参照)によって行なえば、ステップＳ１９をＹＥＳに分岐・変更された画面を圧縮して記録し（Ｓ１８）、その後、表示を消灯する（Ｓ１９）。そして上記ステップＳ１へ戻る。
【００５０】
また、上記ステップＳ１７での判定で、もし修正終了ではない場合には、同様に他のスイッチ操作によって、ステップＳ３０にて修正を戻す等の処理を行ない（Ｓ３１）、上記ステップＳ１へ戻る。
【００５１】
上記ステップＳ１０でのモード判定で、もし表示モードでない場合には、ステップＳ２０へ進み、送信モードか否かの判定を行ない（Ｓ２０）、「送信モード」における処理に進む（Ｓ２１）。ここでは、送信先や、コメントや、メッセージを書き込んだりできるような送信モードとする。（参照、図４（ｃ）の画面、又は図３の携帯電話２１の画面）。そして上記ステップＳ１へ戻る。
【００５２】
このような実施形態によれば、ユーザが撮影画像を簡単に修正して楽しめ、さらにはメール添付や、ポストカード作成にも効力を発揮し得る電子カメラ２０を実現することができる。
【００５３】
また、この電子カメラ２０では、先端の細いペン２６を用いて画面上をなぞる事により、文字やイラスト等を自由に書き込むことができ、簡単に追加できる。
【００５４】
この時は、図９中のステップＳ１４において、押圧部判定重心の所定範囲を、図７（ｂ）のように極めて狭く限定することにより、図７（ｃ）のようにその重心を連続させて線状に表示すればよく、あたかも、通常のペンで字を書く如くに簡単に画像上に文字によるメッセージ等を加筆できる。
【００５５】
そのような仕様にするには、その所定範囲を狭く設定する為、ＣＰＵ１に付属した操作ボタン等によって適宜切り替えればよい。これを自動化する為ここでは、図８に例示したようにタッチパネル８の構成と配線を変形実施する。つまり、抵抗方向（ｘ方向）の位置が上記３つのラインごとに求められるので、ボタン切替はなくとも押圧点の細さが自動的に検出できるので、入力方法の変更自由度と操作ボタンによる煩雑な切替操作が省略できる。
【００５６】
その為、上述したように図９中のステップＳ１３で「タッチパネルの押圧部判定」ルーチンをコールして実行し、次ステップＳ１４にてその所定範囲を切り替えればよい。
【００５７】
図１０のフローチャートに基づきこのルーチン「押圧部判定」の手順について詳説すると、最初にステップＳ４０〜Ｓ４２で各々、ライン４０ａ、ライン４０ｂおよびライン４０ｃにて、押圧位置ｘａ，ｘｂ，ｘｃをそれぞれ検出する（Ｓ４０、Ｓ４１，Ｓ４２）。
【００５８】
続くステップＳ４３〜Ｓ４５にて、それら押圧位置ｘａ，ｘｂ，ｘｃを互いに比較し、もしその比較結果がｘａ≠ｘｂ≠ｘｃならばステップＳ４３〜Ｓ４５を順次にＮＯに分岐していく（Ｓ４３，Ｓ４４，Ｓ４５）。この場合は、ペン２６(図６参照)のように先の細いもので表示部７がなぞられていると判断できる。
【００５９】
しかし、ペン２６などではなく指先など先端が幅広いものでなぞる場合は、隣接したラインまで押圧部位がかかる（及ぶ）ので、隣接ラインにての位置押圧結果がほぼ等しくなる。よって、ステップＳ４３〜Ｓ４５での各判断ステップをＹＥＳに分岐して、ユーザが指による「ぼかし処理」操作を行っている場合(図４（ｂ）参照)である事がわかる。
【００６０】
上述のような判定方法によって、当該電子カメラ２０のＣＰＵ１は、ステップＳ４６及びＳステップ４７にてそれぞれ、細い線にて表示する「細線表示モード」と（Ｓ４６）、押圧された箇所をぼかす、いわゆる「消しゴムモード」（Ｓ４７）とに選択的に切り替えて、操作するユーザの意志を反映させた画像処理を行なう。次に、ステップＳ４８にて、ｙ方向の位置検知を行なえば（Ｓ４８）、次ステップＳ４９にて押圧位置の重心が検出できる（Ｓ４９）。
【００６１】
その後はメインルーチンにリターンし、次ステップＳ１４で所定範囲を切り替える。
【００６２】
このような形態に実施された電子カメラ２０を使うユーザはまず、従来のカメラで必要とされた手続き、即ち、画像処理前の写真画像をパソコンに取り込み、専用ソフトを起動させて所定操作を行ない、その後に、その画像処理された画像を圧縮してセーブし、電子メール用のプログラムを起動させて送信するという複雑なプロセスは不要となる。
【００６３】
そしてこの電子カメラ２０であれば、撮影から画像修正、送信まで同一の機器でできるのでどのようなユーザ層であっても、簡単な操作で、自分の思いどおりの写真を見せたい人に送ることもできる。
【００６４】
よって、これらの機能は、電子撮像した画像の広範な用途と利便性をユーザに提供するものである。
【００６５】
このように本実施形態によれば、撮影画面を表示する液晶ディスプレイ上のタッチパネルの押圧操作によって、その画像に所望の修正を施して画像処理効果を付加できる電子カメラが提供できる。これによってユーザは、従来とは異なりパソコンや専用のパソコン用ソフトなどを使用せずに、タッチパネルへの押圧操作で修正処理した画像をプリントアウトしたり、それをメールに添付したりして手軽に楽しむことを可能にする。
【００６６】
（その他の変形例）
上述の実施形態はさらに次のように変形実施してもよく、例示した実施形態と同等またはそれ以上の効果が期待できる。
【００６７】
例えば、タッチパネルの構成と配線を上述した３ライン方式ではなく、例えば４ライン等にライン数を増やして、１本おいたラインとの位置的比較を行なえるような検出方法に変形実施すれば、ユーザが隣接する複数ラインの境界部分を押圧した場合であっても、その位置が誤検出されることが極めて少なくなる。
【００６８】
このほかにも、本発明の要旨を逸脱しない範囲で種々の変形実施が可能である。
【００６９】
以上、実施形態に基づき説明したが、本明細書中には次の発明が含まれる。
【００７０】
（１）  表示手段として画像モニタ用のＬＣＤと、このＬＣＤの上面に接触操作可能なタッチパネルと、このタッチパネルにおける接触操作がされた所定部位に関する画像加工を行なう画像処理手段と、を有し、
上記タッチパネルの部分がこすられることを検知して、その部分に対応する画像の表示輝度を薄くして、当該表示画像にグラデーション効果を与えるように設定された制御手段を有する電子カメラを提供できる。
【００７１】
（２）  上記制御手段は、表示画像の不要な部分がタッチパネルを介してこすられたり押圧された位置を、上記タッチパネルを介して二次元的に判定し、
上記画像処理手段は、当該接触されたそのタッチパネルに対応する表示部分をぼかすことで、主要被写体を相対的に目立たせることを特徴とする（１）に記載の電子カメラを提供できる。
【００７２】
（３）  当該電子カメラは、携帯電話に接続可能または通信制御可能に構成されて成り、
当該電子カメラで加工修正された画像が当該携帯電話から送信されることを特徴とする（２）に記載の電子カメラを提供できる。
【図面の簡単な説明】
【００７３】
【図１】図１は、本発明の実施形態の電子カメラ内の電気回路の構成を示すブロック図。
【図２】図２（ａ）,（ｂ）は本発明の電子カメラから携帯電話やプリンタを介して得られるポストカード等に添付する写真画像を示し、図２（ａ）は、雑然とした背景の本来の写真画像を示す説明図、図２（ｂ）は、本発明の電子カメラの画像処理機能により処理されすっきりとした背景をもつ好ましい写真画像を示す説明図。
【図３】図３は、本発明の電子カメラからの画像データが携帯電話やプリンタに送信され利用される形態を表わす模式図。
【図４】図４（ａ）〜（ｃ）はこの実施形態の電子カメラの使用例を示し、図４（ａ）は、ユーザが写真撮影するところを示す説明図、図４（ｂ）は、電子カメラのモニタ画面上をなぞっているところを示す説明図、図４（ｃ）は、送信機付きの電子カメラの場合、修正写真をそのまま電子メールで送信しているところを示す説明図。
【図５】図５（ａ）〜（ｃ）はこの電子カメラのタッチパネル及びこれに関連する回路を示し、図５（ａ）は、このタッチパネル等の積層構造を示す構造図、図５（ｂ）は、抵抗膜式のタッチパネルの原理を示す説明図、図５（ｃ）は、このタッチパネルの電気的回路構成を示す回路図。
【図６】図６は、ユーザがペン等でモニタ部をなぞるところを示す説明図。
【図７】図７（ａ）〜（ｃ）は修正モード時のタッチパネルの押圧形態を示し、図７（ａ）は、重心位置より所定範囲で色信号を平均化する場合を示す斜視図、図７（ｂ）は、重心の所定範囲を限定する場合を示す斜視図、図７（ｃ）は、重心を連続させて線にする場合を示す斜視図。
【図８】図８は、抵抗方向に分割し、３つの細線が並んだ形に構成するタッチパネルの例を示す説明図。
【図９】図９は、この電子カメラのＣＰＵが実行する制御手順を表わすメインルーチンのフローチャート。
【図１０】図１０は、押圧部判定に関するサブルーチンを表わすフローチャート。
【符号の説明】
【００７４】
１…ＣＰＵ（制御手段）、  １ａ,１ｂ…スイッチ、  ２…撮影レンズ、  ３…撮像素子（撮像手段）、  ４…画像処理部（画像処理手段）、  ５…記録部（メモリ）、  ６…送信部（送信手段）、  ７…表示部（表示手段）、  ７ａ…液晶表示パネル(ＬＣＤ)、  ８…タッチパネル、  ９…検出部、１０…ストロボ装置（補助光源：閃光発光手段）、１１…被写体（画像）、  ２０…電子カメラ、  ２１…携帯電話、２２…プリンタ、  ２３…ハガキ、  ２５…操作ボタン、  ２６…ペン（タッチペン）、  ３０…導光板、  ３１…バックライト光源、  ３２…スペーサ、  ４０…上部抵抗膜、  ４０ａ,４０ｂ,４０ｃ…細線(ライン)、  ４１…下部抵抗膜、  ４２〜４４…スイッチ、  ４５…Ａ／Ｄコンバータ（Ａ／Ｄ変換手段）、  Ｓ１〜Ｓ３１…「メインルーチン」の処理ステップ、  Ｓ４０〜Ｓ４９…「押圧部判定」ルーチンの処理ステップ。
【図１】
0004406449.tif 000002
【図２】
0004406449.tif 000003
【図３】
0004406449.tif 000004
【図４】
0004406449.tif 000005
【図５】
0004406449.tif 000006
【図６】
0004406449.tif 000007
【図７】
0004406449.tif 000008
【図８】
0004406449.tif 000009
【図９】
0004406449.tif 000010
【図１０】
0004406449.tif 000011